(57)【要約】【課題】指定単語をテキストデータで入力するだけで、サーバでのモード切り替えを行うことができる情報提供システムを提供すること。【解決手段】本発明の情報提供システムは、サーバ2が、あらかじめ指定単語を記憶する指定単語記憶部３５と、テキストデータに、指定単語が入力されているか否かを解析する文字列解析手段１４と、文字列解析手段１４で、テキストデータに指定単語が入力されていると解析した場合に、モードの切り替えを行うモード切替手段２１とを備え、モード切替手段２１で切り替えられたモードによって、メールのアカウントに送信する送信データを変更することを特徴とする。【選択図】        図１
2016066155.tif 000002
【特許請求の範囲】
【請求項１】
指定メールアドレスにメールを送信し、前記メールに入力されているテキストデータによってサーバから送信される送信データを操作する情報提供システムであって、
前記サーバが、
あらかじめ指定単語を記憶する指定単語記憶部と、
前記テキストデータに、前記指定単語が入力されているか否かを解析する文字列解析手段と、
前記文字列解析手段で、前記テキストデータに前記指定単語が入力されていると解析した場合に、モードの切り替えを行うモード切替手段と
を備え、
前記モード切替手段で切り替えられた前記モードによって、前記メールのアカウントに送信する送信データを変更する
ことを特徴とする情報提供システム。
【請求項２】
前記モードとして、通知モードを有し、
前記サーバが、
イベント情報を記憶するイベント情報記憶部と、
前記アカウントの登録を行うアカウント記憶部と、
前記アカウント別に、キーワードを記憶するユーザキーワード記憶部と、
前記ユーザキーワード記憶部に記憶された前記キーワードに関する前記イベント情報を前記イベント情報記憶部から抽出するイベント情報抽出手段と、
前記イベント情報抽出手段で抽出された前記イベント情報を前記アカウントに送信する前記送信データとする表示データ作成手段と
を備え、
前記通知モードが「ＯＮ」である場合には、
前記アカウントからの前記メールの受信の有無にかかわらず、前記アカウントに対して、前記表示データ作成手段で作成した前記送信データを送信し、
前記通知モードが「ＯＦＦ」である場合には、
前記アカウントからの前記メールの受信によって、前記アカウントに対して、前記表示データ作成手段で作成した前記送信データを送信する
ことを特徴とする請求項１に記載の情報提供システム。
【請求項３】
前記モードとして、一括モードを有し、
前記サーバが、
キーワードを、複数のキーワード説明とともに記憶するキーワード記憶部
を備え、
前記一括モードが「ＯＮ」である場合には、
前記キーワードに対して記憶されている複数の前記キーワード説明を抽出して、前記アカウントに対して送信し、
前記一括モードが「ＯＦＦ」である場合には、
前記キーワードに対して記憶されている複数の前記キーワード説明から一部の前記キーワード説明だけを抽出して、前記アカウントに対して送信する
ことを特徴とする請求項１に記載の情報提供システム。
【請求項４】
前記モードとして、退会モードを有し、
前記サーバは、
前記退会モードが「ＯＮ」である場合には、前記アカウントに対して前記送信データを送信せず、
前記退会モードが「ＯＦＦ」である場合には、前記アカウントに対して前記送信データを送信する
ことを特徴とする請求項１に記載の情報提供システム。
【請求項５】
前記サーバが、
前記テキストデータに、既に記憶している既存キーワードが含まれているか、前記既存キーワードとして記憶していない新規キーワードが含まれているかを解析する文字コード解析手段と、
前記文字コード解析手段で解析された前記新規キーワードを、複数のキーワード説明とともに記憶するキーワード記憶部と、
前記文字コード解析手段で解析された前記新規キーワードを、前記アカウント別に記憶するユーザキーワード記憶部と、
前記既存キーワード又は前記新規キーワードに対して前記キーワード説明の登録の許否を決定する学習モード切替手段と
を備え、
前記文字コード解析手段では、前記新規キーワードが前記キーワード記憶部に記憶された場合には、前記新規キーワードを既存キーワードと判断し、
前記学習モード切替手段によって学習モードが「ＯＮ」であると判断された場合には、前記キーワード説明の登録を許可し、
前記学習モード切替手段によって前記学習モードが「ＯＦＦ」であると判断された前記アカウントが送信した前記テキストデータに、前記新規キーワードが含まれている場合には、前記学習モード切替手段よって前記学習モードを「ＯＮ」に切り替えるとともに、前記アカウントに対して前記キーワード説明を問い合わせる前記送信データを送信する
ことを特徴とする請求項１に記載の情報提供システム。
【請求項６】
前記学習モード切替手段によって前記学習モードが「ＯＮ」であると判断された前記アカウントが送信した前記テキストデータに、前記キーワード説明が含まれている場合には、前記キーワード説明を前記キーワード記憶部に記憶する
ことを特徴とする請求項５に記載の情報提供システム。
【請求項７】
前記学習モード切替手段によって前記学習モードが「ＯＮ」であると判断された前記アカウントが送信した前記メールが、前記テキストデータが含まれていない空メールである場合には、前記学習モード切替手段よって前記学習モードを「ＯＦＦ」に切り替える
ことを特徴とする請求項６に記載の情報提供システム。
【発明の詳細な説明】
【技術分野】
【０００１】
本発明は、携帯電話で利用できる情報提供システムに関する。
【背景技術】
【０００２】
現在、スマートフォンのユーザを対象としたアプリケーションの制作、販売が過熱している。
しかし、スマートフォンに備えられた機能は、生活必需品とはかけ離れた贅沢品である。長年、不況から抜け出すことができないでいる日本の経済は疲弊し、国民の生活レベルは確実に低下している。
そのため、１ヶ月に８千円前後の費用が掛かるスマートフォンよりも、使い方によっては千円以下に抑えることができる携帯電話のユーザが、決して少数派ではなくなってきている。特に電話機能やメール機能を中心につかう物理的ボタンで操作する携帯電話は、メールだけの使用であれば費用を最小限に抑えることができる。
なお、ユーザが入力したデータを、サーバのデータベースに蓄積するシステムは既に知られている（例えば特許文献１）。
【先行技術文献】
【特許文献】
【０００３】
【特許文献１】特開２００２−２５１３５４号公報
【発明の概要】
【発明が解決しようとする課題】
【０００４】
しかし、メール本文に入力されたテキストデータを用いて、サーバでのモード切り替えを行うことができるシステムは未だ提案されていない。
テキストデータのみを用いてサーバでのシステムのモード切り替えを行うことで、パケット通信費を最小限に抑えることができる。
【０００５】
そこで、本発明は、指定単語をテキストデータで入力するだけで、サーバでのモード切り替えを行うことができる情報提供システムを提供することを目的とする。
【課題を解決するための手段】
【０００６】
請求項１記載の本発明の情報提供システムは、指定メールアドレスにメールを送信し、前記メールに入力されているテキストデータによってサーバから送信される送信データを操作する情報提供システムであって、前記サーバが、あらかじめ指定単語を記憶する指定単語記憶部と、前記テキストデータに、前記指定単語が入力されているか否かを解析する文字列解析手段と、前記文字列解析手段で、前記テキストデータに前記指定単語が入力されていると解析した場合に、モードの切り替えを行うモード切替手段とを備え、前記モード切替手段で切り替えられた前記モードによって、前記メールのアカウントに送信する送信データを変更することを特徴とする。
請求項２記載の本発明は、請求項１に記載の情報提供システムにおいて、前記モードとして、通知モードを有し、前記サーバが、イベント情報を記憶するイベント情報記憶部と、前記アカウントの登録を行うアカウント記憶部と、前記アカウント別に、キーワードを記憶するユーザキーワード記憶部と、前記ユーザキーワード記憶部に記憶された前記キーワードに関する前記イベント情報を前記イベント情報記憶部から抽出するイベント情報抽出手段と、前記イベント情報抽出手段で抽出された前記イベント情報を前記アカウントに送信する前記送信データとする表示データ作成手段とを備え、前記通知モードが「ＯＮ」である場合には、前記アカウントからの前記メールの受信の有無にかかわらず、前記アカウントに対して、前記表示データ作成手段で作成した前記送信データを送信し、前記通知モードが「ＯＦＦ」である場合には、前記アカウントからの前記メールの受信によって、前記アカウントに対して、前記表示データ作成手段で作成した前記送信データを送信することを特徴とする。
請求項３記載の本発明は、請求項１に記載の情報提供システムにおいて、前記モードとして、一括モードを有し、前記サーバが、キーワードを、複数のキーワード説明とともに記憶するキーワード記憶部を備え、前記一括モードが「ＯＮ」である場合には、前記キーワードに対して記憶されている複数の前記キーワード説明を抽出して、前記アカウントに対して送信し、前記一括モードが「ＯＦＦ」である場合には、前記キーワードに対して記憶されている複数の前記キーワード説明から一部の前記キーワード説明だけを抽出して、前記アカウントに対して送信することを特徴とする。
請求項４記載の本発明は、請求項１に記載の情報提供システムにおいて、前記モードとして、退会モードを有し、前記サーバは、前記退会モードが「ＯＮ」である場合には、前記アカウントに対して前記送信データを送信せず、前記退会モードが「ＯＦＦ」である場合には、前記アカウントに対して前記送信データを送信することを特徴とする。
請求項５記載の本発明は、請求項１に記載の情報提供システムにおいて、前記サーバが、前記テキストデータに、既に記憶している既存キーワードが含まれているか、前記既存キーワードとして記憶していない新規キーワードが含まれているかを解析する文字コード解析手段と、前記文字コード解析手段で解析された前記新規キーワードを、複数のキーワード説明とともに記憶するキーワード記憶部と、前記文字コード解析手段で解析された前記新規キーワードを、前記アカウント別に記憶するユーザキーワード記憶部と、前記既存キーワード又は前記新規キーワードに対して前記キーワード説明の登録の許否を決定する学習モード切替手段とを備え、前記文字コード解析手段では、前記新規キーワードが前記キーワード記憶部に記憶された場合には、前記新規キーワードを既存キーワードと判断し、前記学習モード切替手段によって学習モードが「ＯＮ」であると判断された場合には、前記キーワード説明の登録を許可し、前記学習モード切替手段によって前記学習モードが「ＯＦＦ」であると判断された前記アカウントが送信した前記テキストデータに、前記新規キーワードが含まれている場合には、前記学習モード切替手段よって前記学習モードを「ＯＮ」に切り替えるとともに、前記アカウントに対して前記キーワード説明を問い合わせる前記送信データを送信することを特徴とする。
請求項６記載の本発明は、請求項５に記載の情報提供システムにおいて、前記学習モード切替手段よって前記学習モードが「ＯＮ」であると判断された前記アカウントが送信した前記テキストデータに、前記キーワード説明が含まれている場合には、前記キーワード説明を前記キーワード記憶部に記憶することを特徴とする。
請求項７記載の本発明は、請求項６に記載の情報提供システムにおいて、前記学習モード切替手段よって前記学習モードが「ＯＮ」であると判断された前記アカウントが送信した前記メールが、前記テキストデータが含まれていない空メールである場合には、前記学習モード切替手段よって前記学習モードを「ＯＦＦ」に切り替えることを特徴とする。
【発明の効果】
【０００７】
本発明によれば、指定単語をテキストデータで入力するだけで、サーバでのモード切り替えを行うことができ、送信される送信データを変更することができる。
【図面の簡単な説明】
【０００８】
【図１】本発明の一実施例における情報提供システムの機能実現のためのブロック図
【図２】メール受信時の基本処理流れと新規登録処理流れを示すフローチャート
【図３】メール本文に指定単語である「退会」又は「削除」が入力されている場合の処理流れを示すフローチャート
【図４】メール本文に指定単語である「通知」又は「一括」が入力されている場合の処理流れを示すフローチャート
【図５】メール本文にキーワードが含まれている場合の処理流れを示すフローチャート
【図６】メール本文にキーワード説明が含まれている場合の処理流れを示すフローチャート
【図７】イベント情報の通知の処理流れを示すフローチャート
【発明を実施するための形態】
【０００９】
本発明の第１の実施の形態による情報提供システムは、サーバが、あらかじめ指定単語を記憶する指定単語記憶部と、テキストデータに、指定単語が入力されているか否かを解析する文字列解析手段と、文字列解析手段で、テキストデータに指定単語が入力されていると解析した場合に、モードの切り替えを行うモード切替手段とを備え、モード切替手段で切り替えられたモードによって、メールのアカウントに送信する送信データを変更するものである。本実施の形態によれば、指定単語をテキストデータで入力するだけで、サーバでのモード切り替えを行うことができ、送信される送信データを変更することができる。
【００１０】
本発明の第２の実施の形態は、第１の実施の形態による情報提供システムにおいて、モードとして、通知モードを有し、サーバが、イベント情報を記憶するイベント情報記憶部と、アカウントの登録を行うアカウント記憶部と、アカウント別に、キーワードを記憶するユーザキーワード記憶部と、ユーザキーワード記憶部に記憶されたキーワードに関するイベント情報をイベント情報記憶部から抽出するイベント情報抽出手段と、イベント情報抽出手段で抽出されたイベント情報をアカウントに送信する送信データとする表示データ作成手段とを備え、通知モードが「ＯＮ」である場合には、アカウントからのメールの受信の有無にかかわらず、アカウントに対して、表示データ作成手段で作成した送信データを送信し、通知モードが「ＯＦＦ」である場合には、アカウントからのメールの受信によって、アカウントに対して、表示データ作成手段で作成した送信データを送信するものである。本実施の形態によれば、通知モードを切り替ることで、送信データを自動的に受信することとメール送信によって受信することを選択することができる。
【００１１】
本発明の第３の実施の形態は、第１の実施の形態による情報提供システムにおいて、モードとして、一括モードを有し、サーバが、キーワードを、複数のキーワード説明とともに記憶するキーワード記憶部を備え、一括モードが「ＯＮ」である場合には、キーワードに対して記憶されている複数のキーワード説明を抽出して、アカウントに対して送信し、一括モードが「ＯＦＦ」である場合には、キーワードに対して記憶されている複数のキーワード説明から一部のキーワード説明だけを抽出して、アカウントに対して送信するものである。本実施の形態によれば、一括モードを切り替ることで、キーワード説明を、一部だけの情報か多くの情報かを選択することができる。
【００１２】
本発明の第４の実施の形態は、第１の実施の形態による情報提供システムにおいて、モードとして、退会モードを有し、サーバは、退会モードが「ＯＮ」である場合には、アカウントに対して送信データを送信せず、退会モードが「ＯＦＦ」である場合には、アカウントに対して送信データを送信するものである。本実施の形態によれば、情報提供のサービスを受けるか否かを、指定単語をテキストデータで入力するだけで選択することができる。
【００１３】
本発明の第５の実施の形態は、第１の実施の形態による情報提供システムにおいて、サーバが、テキストデータに、既に記憶している既存キーワードが含まれているか、既存キーワードとして記憶していない新規キーワードが含まれているかを解析する文字コード解析手段と、文字コード解析手段で解析された新規キーワードを、複数のキーワード説明とともに記憶するキーワード記憶部と、文字コード解析手段で解析された新規キーワードを、アカウント別に記憶するユーザキーワード記憶部と、既存キーワード又は新規キーワードに対してキーワード説明の登録の許否を決定する学習モード切替手段とを備え、文字コード解析手段では、新規キーワードがキーワード記憶部に記憶された場合には、新規キーワードを既存キーワードと判断し、学習モード切替手段によって学習モードが「ＯＮ」であると判断された場合には、キーワード説明の登録を許可し、学習モード切替手段によって学習モードが「ＯＦＦ」であると判断されたアカウントが送信したテキストデータに、新規キーワードが含まれている場合には、学習モード切替手段よって学習モードを「ＯＮ」に切り替えるとともに、アカウントに対してキーワード説明を問い合わせる送信データを送信するものである。本実施の形態によれば、サーバは新たなキーワードを追加することができるとともに、一つのキーワードに対してキーワード説明を複数登録することができ、新規キーワードを入力したアカウントに対しては、キーワード説明の登録を促すことができる。
【００１４】
本発明の第６の実施の形態は、第５の実施の形態による情報提供システムにおいて、学習モードが「ＯＮ」であると判断されたアカウントが送信したテキストデータに、キーワード説明が含まれている場合には、キーワード説明をキーワード記憶部に記憶するものである。本実施の形態によれば、キーワード説明の登録を促すことができる。
【００１５】
本発明の第７の実施の形態は、第６の実施の形態による情報提供システムにおいて、学習モード切替手段よって学習モードが「ＯＮ」であると判断されたアカウントが送信したメールが、テキストデータが含まれていない空メールである場合には、学習モード切替手段よって学習モードを「ＯＦＦ」に切り替えるものである。本実施の形態によれば、消極的な利用を希望するユーザに対して煩わしさをなくすことができる。
【実施例】
【００１６】
以下に、本発明の情報提供システムの一実施例について説明する。
図１は本発明の一実施例における情報提供システムの機能実現のためのブロック図である。
本実施例における情報提供システムは、クライアント１からサーバ２の指定メールアドレスにメールを送信し、メールに入力されているテキストデータによってサーバ２からクライアント１に送信される送信データを操作することができる。
ここで、クライアント１は情報端末機であり、特にテキストデータのみで行えるメール機能を備えたガラバゴス携帯電話を用いることができる。
サーバ２は、本実施例における情報提供システムを備えている。
本実施例における情報提供システムは、受信データ処理手段１０、送信データ処理手段２０、及び記憶部３０を備えている。
受信データ処理手段１０は、アカウント取得手段１１、文字コード取得手段１２、文字コード解析手段１３、文字列解析手段１４、及び学習モード切替手段１５を備えている。
送信データ処理手段２０は、モード切替手段２１、イベント情報抽出手段２２、及び表示データ作成手段２３を備えている。
記憶部３０は、メールデータ記憶部３１、アカウント記憶部３２、ユーザキーワード記憶部３３、キーワード記憶部３４、指定単語記憶部３５、及びイベント情報記憶部３６を備えている。
【００１７】
受信データ処理手段１０では、受信したメールデータをメールデータ記憶部３１に一旦記憶する。
アカウント取得手段１１では、メールデータ記憶部３１に記憶したメールデータからアカウントを取得する。
文字コード取得手段１２では、メールデータ記憶部３１に記憶したメールデータから入力された文字コードを取得する。
文字コード解析手段１３では、文字コード取得手段１２で取得した文字コードに、新規キーワードや既存キーワードが含まれているかを解析する。ここで既存キーワードとは、既にキーワード記憶部３４が記憶しているキーワードであり、新規キーワードとは、既存キーワードとしてキーワード記憶部３４に記憶していないキーワードである。新規キーワードは、キーワード記憶部３４に記憶されることで既存キーワードとなる。
文字列解析手段１４では、メールデータ記憶部３１に記憶したメールデータのテキストデータに、指定単語が入力されているか否かを解析する。
学習モード切替手段１５では、既存キーワード又は新規キーワードに対してキーワード説明の登録の許否を決定する。
【００１８】
モード切替手段２１では、文字列解析手段１４で、テキストデータに指定単語が入力されていると解析した場合に、モードの切り替えを行う。指定単語が入力されている場合には、この指定単語によってモードを切り替える。
イベント情報抽出手段２２では、ユーザキーワード記憶部３３に記憶されたキーワードに関するイベント情報をイベント情報記憶部３６から抽出する。
表示データ作成手段２３では、イベント情報抽出手段２２で抽出されたイベント情報をアカウントに送信する送信データとする。表示データ作成手段２３で作成された送信データがアカウントを送信したクライアント１に送信される。
【００１９】
メールデータ記憶部３１では、受信したメールのデータが記憶され、受信データ処理手段１０及び送信データ処理手段２０での処理が終了するとデータが消去される。
アカウント記憶部３２には、アカウントが記憶される。このアカウントの記憶によりアカウント登録者となる。
ユーザキーワード記憶部３３には、文字コード解析手段１３で解析された新規キーワードがアカウント別に記憶される。
キーワード記憶部３４には、キーワードが複数のキーワード説明とともに記憶される。文字コード解析手段１３で解析された新規キーワードがキーワード記憶部３４に記憶されることで、キーワードが蓄積される。キーワード説明は、新規キーワードとともに記憶される他、既存キーワードに対しても複数記憶することができる。
指定単語記憶部３５には、あらかじめ指定単語が記憶される。
イベント情報記憶部３６には、イベント情報が記憶される。
【００２０】
次に、図２から図７を用いて本実施例における情報提供システムの処理流れを説明する。
図２は、メール受信時の基本処理流れと新規登録処理流れを示すフローチャートである。
クライアント１からメールを受信すると、受信データをメールデータ記憶部３１に保存する（ステップ１）。
アカウント取得手段１１では、ステップ１で保存された受信データから、クライアント１のアカウントを取得する（ステップ２）。
ステップ３では、ステップ１で保存された受信データから受信メール本文を取得し、文字コード取得手段１２では、ステップ３で取得した受信メール本文から文字コードを取得する（ステップ４）。
文字コード解析手段１３では、文字コード取得手段１２で取得した文字コードに、新規キーワードや既存キーワードが含まれているかを解析する（ステップ５）。
文字列解析手段１４では、メールデータ記憶部３１に記憶したメールデータのテキストデータに、指定単語が入力されているか否かを解析する（ステップ６）。
ステップ２で取得されたアカウントについて、既に登録されているアカウントか否かを判断する（ステップ７）。
ステップ７において、アカウントの登録がなく、新規のアカウントであると判断されると、文字列に文字が有るか否かが判断される（ステップ８）。
ステップ８において、空メールではなく文字が有ると判断されると、この文字を名前として登録し（ステップ９）、アカウント登録を行う（ステップ１０）。
ステップ８において、文字が無く空メールであると判断されると、名前を登録することなくアカウントだけの登録を行う（ステップ１０）。
ステップ１０において、アカウントの登録が行われると、モード切替手段２１によって利用モードが「ＯＮ」となる（ステップ１１）。
利用モードが「ＯＮ」となった後に、メールデータ記憶部３１に記憶した受信データを消去し（ステップ１２）、クライアント１に対して登録完了を示すデータを送信する（ステップ１３）。
【００２１】
図３及び図４はメール本文に指定単語が入力されている場合のモード切り替えである。
図３は、メール本文に指定単語である「退会」又は「削除」が入力されている場合の処理流れを示すフローチャートである。
図３は、図２に示すステップ７において、既にアカウント登録が有り、アカウント登録者であると判断された場合の処理流れである。
ステップ２１において、指定単語である「退会」が含まれていると判断された場合には、現在の利用モードが「ＯＮ」（退会モードが「ＯＦＦ」）であるか否かが判断される（ステップ２２）。
ステップ２２において、現在の利用モードが「ＯＮ」である場合には、モード切替手段２１によって、利用モードが「ＯＦＦ」（退会モードが「ＯＮ」）に切り替わる（ステップ２３）。
ステップ２２において、現在の利用モードが「ＯＮ」でない場合には、モード切替手段２１によって、利用モードが「ＯＮ」（退会モードが「ＯＦＦ」）に切り替わる（ステップ２４）。
ステップ２３において利用モードが「ＯＦＦ」となった後に、メールデータ記憶部３１に記憶した受信データを消去し（ステップ２５）、クライアント１に対して退会モード「ＯＮ」を示すデータを送信する（ステップ２６）。
ステップ２４において利用モードが「ＯＮ」となった後に、メールデータ記憶部３１に記憶した受信データを消去し（ステップ２７）、クライアント１に対して利用モード「ＯＮ」を示すデータを送信する（ステップ２８）。
ステップ２１において、指定単語である「退会」が含まれていないと判断された場合には、指定単語である「削除」が含まれているか否かが判断される（ステップ２９）。
ステップ２９において、指定単語である「削除」が含まれていると判断された場合には、モード切替手段２１によって、退会確定の処理が行われる（ステップ３０）。
ステップ３０において退会確定の処理が行われた後に、メールデータ記憶部３１に記憶した受信データを消去し（ステップ３１）、クライアント１に対して退会完了を示すデータを送信する（ステップ３２）。
【００２２】
このように、サーバ２は、退会モードが「ＯＮ」である場合には、アカウント登録者に対して送信データを送信せず、退会モードが「ＯＦＦ」である場合には、アカウント登録者に対して送信データを送信する。
従って、本実施例によれば、情報提供のサービスを受けるか否かを、指定単語をテキストデータで入力するだけで選択することができる。
【００２３】
図４は、メール本文に指定単語である「通知」又は「一括」が入力されている場合の処理流れを示すフローチャートである。
図４は、図３に示すステップ２９において、指定単語である「削除」がなく退会処理が行われていない場合の処理流れである。
ステップ４１において、指定単語である「通知」が含まれていると判断された場合には、現在の通知モードが「ＯＮ」であるか否かが判断される（ステップ４２）。
ステップ４２において、現在の通知モードが「ＯＮ」である場合には、モード切替手段２１によって、通知モードが「ＯＦＦ」に切り替わる（ステップ４３）。
ステップ４２において、現在の通知モードが「ＯＮ」でない場合には、モード切替手段２１によって、通知モードが「ＯＮ」に切り替わる（ステップ４４）。
ステップ４３において通知モードが「ＯＦＦ」となった後に、メールデータ記憶部３１に記憶した受信データを消去し（ステップ４５）、クライアント１に対して通知モード「ＯＦＦ」を示すデータを送信する（ステップ４６）。
ステップ４４において通知モードが「ＯＮ」となった後に、メールデータ記憶部３１に記憶した受信データを消去し（ステップ４７）、クライアント１に対して通知モード「ＯＮ」を示すデータを送信する（ステップ４８）。
ステップ４１において、指定単語である「通知」がない場合にはモード切替手段２１によるモード切り替えは行われない（ステップ４９）。
【００２４】
ステップ５１において、指定単語である「一括」が含まれていると判断された場合には、現在の一括モードが「ＯＮ」であるか否かが判断される（ステップ５２）。
ステップ５２において、現在の一括モードが「ＯＮ」である場合には、モード切替手段２１によって、一括モードが「ＯＦＦ」に切り替わる（ステップ５３）。
ステップ５２において、現在の一括モードが「ＯＮ」でない場合には、モード切替手段２１によって、一括モードが「ＯＮ」に切り替わる（ステップ５４）。
ステップ５３において一括モードが「ＯＦＦ」となった後に、メールデータ記憶部３１に記憶した受信データを消去し（ステップ５５）、クライアント１に対して一括モード「ＯＦＦ」を示すデータを送信する（ステップ５６）。
ステップ５４において一括モードが「ＯＮ」となった後に、メールデータ記憶部３１に記憶した受信データを消去し（ステップ５７）、クライアント１に対して一括モード「ＯＮ」を示すデータを送信する（ステップ５８）。
ステップ５１において、指定単語である「一括」がない場合にはモード切替手段２１によるモード切り替えは行われない（ステップ５９）。
【００２５】
図５は、メール本文にキーワードが含まれている場合の処理流れを示すフローチャートである。
図５は、図２に示すステップ７において、既にアカウント登録者であると判断された場合の処理流れである。
メール本文にキーワードが含まれている場合には、ユーザキーワードとしてユーザキーワード記憶部３３に記憶される（ステップ６１）。
新規キーワードであるか否かが文字コード解析手段１３で判断される（ステップ６２）。
ステップ６２において新規キーワードであると判断された場合には、キーワード記憶部３４に記憶される（ステップ６３）。
ステップ６３において、新規キーワードとして登録された場合には、学習モード切替手段１５によって学習モードが「ＯＮ」に切り替えられ（ステップ６４）、表示データ作成手段２３においてキーワード説明問い合わせ表示データ作成が行われる（ステップ６５）。
ステップ６５で作成されたキーワード説明問い合わせ表示文は、クライアント１に対して送信される（ステップ６６）。
ステップ６２において、新規キーワードでないと判断された場合には、一括モードが「ＯＮ」であるか否かが判断される（ステップ６７）。
ステップ６７において、一括モードが「ＯＮ」である場合には、既存キーワードに関連づけされたキーワード説明がキーワード記憶部３４からすべて抽出される（ステップ６８）。なお、すべてのキーワード説明の抽出に代えて、優先順位の高いキーワード説明を複数抽出してもよい。
ステップ６７において、一括モードが「ＯＦＦ」である場合には、既存キーワードに関連づけされた複数のキーワード説明の中から抽出された一つのキーワード説明がキーワード記憶部３４から抽出される（ステップ６９）。なお、一つのキーワード説明の抽出に代えて、優先順位の高いキーワード説明を複数抽出してもよいが、一括モードが「ＯＮ」である場合よりも少ない数のキーワード説明を抽出する。
ステップ６８又はステップ６９で抽出されたキーワード説明について、表示データ作成手段２３において表示データが作成され（ステップ７０）、キーワード説明のデータが送信される（ステップ７１）。
【００２６】
このように、一括モードが「ＯＮ」である場合には、既存キーワードに対して記憶されている複数のキーワード説明を抽出して、アカウント登録者に対して送信し、一括モードが「ＯＦＦ」である場合には、キーワードに対して記憶されている複数のキーワード説明から一部のキーワード説明だけを抽出して、アカウント登録者に対して送信する。
従って、本実施例によれば、一括モードを切り替ることで、キーワード説明を、一部だけの情報か多くの情報かを選択することができる。
【００２７】
図６は、メール本文にキーワード説明が含まれている場合の処理流れを示すフローチャートである。
図６は、図２に示すステップ７において、既にアカウント登録者であると判断された場合の処理流れである。
学習モード切替手段１５による学習モードが「ＯＮ」か否かが判断される（ステップ７２）。
ステップ７２において、学習モードが「ＯＮ」である場合には、メール本文に含まれているキーワード説明を登録する（ステップ７３）。
ステップ７２において、学習モードが「ＯＦＦ」である場合には、新規キーワードとして登録されたか否かが判断され（ステップ７４）、新規キーワードとして登録されていない場合には、キーワード説明の登録に関する処理は行わない（ステップ７５）。
ステップ７４において、新規キーワードとして登録された場合には、学習モード切替手段１５によって学習モードが「ＯＮ」に切り替えられ（ステップ６４）、表示データ作成手段２３においてキーワード説明問い合わせ表示データ作成が行われる（ステップ６５）。
ステップ６５で作成されたキーワード説明問い合わせ表示文は、クライアント１に対して送信される（ステップ６６）。
【００２８】
このように、学習モード切替手段１５によって学習モードが「ＯＮ」であると判断された場合にはキーワード説明の登録を許可し、学習モード切替手段１５によって学習モードが「ＯＦＦ」であると判断されたアカウント登録者が送信したテキストデータに、新規キーワードが含まれている場合には、学習モード切替手段１５よって学習モードを「ＯＮ」に切り替えるとともに、アカウント登録者に対してキーワード説明を問い合わせる送信データを送信する。
そして、学習モードが「ＯＮ」であると判断されたアカウント登録者が送信したテキストデータに、キーワード説明が含まれている場合には、キーワード説明をキーワード記憶部３４に記憶する。
従って、本実施例によれば、サーバ２は新たなキーワードを追加することができるとともに、一つのキーワードに対してキーワード説明を複数登録することができ、新規キーワードを入力したアカウント登録者に対しては、キーワード説明の登録を促すことができる。
なお、学習モード切替手段１５よって学習モードが「ＯＮ」であると判断されたアカウント登録者が送信したメールが、テキストデータが含まれていない空メールである場合には、学習モード切替手段１５よって学習モードを「ＯＦＦ」に切り替えることができる。本実施例によれば、消極的な利用を希望するユーザに対して煩わしさをなくすことができる。
【００２９】
図７は、イベント情報の通知の処理流れを示すフローチャートである。
通知モードが「ＯＮ」である場合には（ステップ８１）、定期的に当該アカウントについて既登録キーワードを抽出し（ステップ８２）、抽出した既登録キーワードに関するイベントデータを抽出する（ステップ８３）。
ステップ８３で抽出されたイベントデータは、表示データ作成手段２３で表示データとされ（ステップ８４）、作成されたイベント表示データはクライアント１に送信される（ステップ８５）。
ステップ８２からステップ８５までの処理は、必ずしも定期的でなくてもよいが、少なくともクライアント１からのメール送信によって行われるものではない。
ステップ８１において、通知モードが「ＯＦＦ」の場合には、アカウント登録者からの空メールの受信によってイベント情報の提供が行われる。
アカウント登録者からの空メールを受信すると（ステップ８６）、当該アカウントについて既登録キーワードを抽出し（ステップ８７）、抽出した既登録キーワードに関するイベントデータを抽出する（ステップ８８）。
ステップ８８で抽出されたイベントデータは、表示データ作成手段２３で表示データとされ（ステップ８９）、作成されたイベント表示データはクライアント１に送信される（ステップ９０）。
ステップ８６において、アカウント登録者からの空メールを受信しない場合には、イベント情報の提供は行わない（ステップ９１）。
【００３０】
このように、通知モードが「ＯＮ」である場合には、アカウント登録者からのメールの受信の有無にかかわらず、アカウント登録者に対して、表示データ作成手段２３で作成した送信データを送信し、通知モードが「ＯＦＦ」である場合には、アカウント登録者からのメールの受信によって、アカウント登録者に対して、表示データ作成手段２３で作成した送信データを送信する。
従って、本実施例によれば、モード切替手段２１によって通知モードを切り替ることで、アカウント登録者は、送信データを自動的に受信するか、メール送信によって受信するかを選択することができる。
【００３１】
以上のように本実施例は、サーバ２が、あらかじめ指定単語を記憶する指定単語記憶部３５と、テキストデータに、指定単語が入力されているか否かを解析する文字列解析手段１４と、文字列解析手段１４で、テキストデータに指定単語が入力されていると解析した場合に、モードの切り替えを行うモード切替手段２１とを備え、モード切替手段２１で切り替えられたモードによって、メールのアカウント登録者に送信する送信データを変更する。
従って、本実施例によれば、指定単語をテキストデータで入力するだけで、サーバ２でのモード切り替えを行うことができ、送信される送信データを変更することができる。
【産業上の利用可能性】
【００３２】
本発明の情報提供システムは、メール機能を備えている通信機器、特に電話機能やメール機能を中心につかう物理的ボタンで操作する携帯電話で利用することができる。
【符号の説明】
【００３３】
１  クライアント
２  サーバ
１０  受信データ処理手段
１１  アカウント取得手段
１２  文字コード取得手段
１３  文字コード解析手段
１４  文字列解析手段
１５  学習モード切替手段
２０  送信データ処理手段
２１  モード切替手段
２２  イベント情報抽出手段
２３  表示データ作成手段
３０  記憶部
３１  メールデータ記憶部
３２  アカウント記憶部
３３  ユーザキーワード記憶部
３４  キーワード記憶部
３５  指定単語記憶部
３６  イベント情報記憶部
【図１】
2016066155.tif 000003
【図２】
2016066155.tif 000004
【図３】
2016066155.tif 000005
【図４】
2016066155.tif 000006
【図５】
2016066155.tif 000007
【図６】
2016066155.tif 000008
【図７】
2016066155.tif 000009